(57)【要約】【課題】  パネルの吊り上げの際に、吊り上げアンカーの脱着が容易で、さらに安全でかつ作業性の良いＡＬＣパネル用の吊り上げアンカーおよび、それを用いたＡＬＣパネルの吊り上げ方法を提供する。【解決手段】  一方の先端がコの字状に折り曲げられてなるアンカー棒鋼と、先端に貫通穴を有する長ナット体からなり、該長ナット体の先端の貫通穴に前記アンカー棒鋼を貫通させてなる吊り上げアンカーとした。また、パネルの吊り上げ方法は、軽量気泡コンクリートパネルの短辺小口には長ナット挿入用の縦孔を設け、パネルの長辺小口には前記縦孔先端と直交貫通する前記アンカー棒鋼貫通用の横孔を設け、該縦孔と横孔から前記長ナットとアンカー棒鋼とを挿入して吊り上げアンカーを組み上げ、アンカー棒鋼の折り曲げ部をパネルの長辺小口に食い込ませて固定する方法とした。【選択図】  図２
2006117381.tif 000002
【特許請求の範囲】
【請求項１】
軽量気泡コンクリートパネルを吊り上げるための吊り上げアンカーであって、一方の先端がコの字状に折り曲げられてなるアンカー棒鋼と、先端に貫通穴を有する長ナット体からなり、該長ナット体の先端の貫通穴に前記アンカー棒鋼を貫通させてなることを特徴とする吊り上げアンカー。
【請求項２】
前記貫通穴を貫通した部分のアンカー棒鋼の長さが、アンカー棒鋼の全長の４分の１以上であることを特徴とする請求項１に記載の吊り上げアンカー。
【請求項３】
軽量気泡コンクリートパネルの短辺小口には長ナット体挿入用の縦孔を設け、軽量気泡コンクリートパネルの長辺小口には前記縦孔先端と直交貫通する前記アンカー棒鋼貫通用の横孔を設け、前記縦孔に先端に貫通穴を有する長ナット体を挿入し、前記横孔に一方の先端がコの字状に折り曲げられてなるアンカー棒鋼を長ナット体先端の貫通穴に貫通させて挿入し、アンカー棒鋼先端のコの字状の折り曲げ部分を軽量気泡コンクリートパネルの長辺小口に食い込ませて固定した後、前記長ナット体にボルトあるいはアイボルトを螺結しワイヤーを懸けてパネルを吊り上げることを特徴とする軽量気泡コンクリートパネルの吊り上げ方法。
【請求項４】
前記アンカー棒鋼先端のコの字状の折り曲げ部分を軽量気泡コンクリートパネルの長辺小口に食い込ませて固定するに際し、該長辺小口に溝と窪みを設けて前記アンカー棒鋼先端のコの字状の折り曲げ部分を収納することを特徴とする請求項３に記載の軽量気泡コンクリートパネルの吊り上げ方法。
【発明の詳細な説明】
【技術分野】
【０００１】
本発明は、軽量気泡コンクリートパネルを施工現場などにおいて吊り上げる際に用いる、パネル吊り上げ用の吊り上げアンカーと吊り上げ方法に関するものである。
【背景技術】
【０００２】
従来、軽量気泡コンクリートパネル（以下、ＡＬＣパネルともいう）を吊り上げる方法としては、図４に示すように先端部に貫通穴７ａが穿設され、他端にネジ穴７ｂが設けられた長ナット体７の貫通穴７ａに、アンカー棒鋼９を挿通した吊り上げアンカー２０が知られている。この吊り上げアンカー２０を使用してＡＬＣパネルを吊り上げるには、図５に示すように、ＡＬＣパネル１の上部小口１ａに、前記長ナット体７を挿入するための縦孔１５を垂直に穿設し、ＡＬＣパネル１の側面小口１ｂには前記アンカー棒鋼９を挿入するための横孔１６を水平に、前記縦孔１５の先端を貫通して穿設しておく。次いでＡＬＣパネル１の上部小口１ａから前記縦孔１５に長ナット体７を挿入し、ＡＬＣパネル１の側面小口１ｂから横孔１６に前記アンカー棒鋼９を挿入して、長ナット体７先端部の貫通穴７ａを挿通させて、長ナット体７とアンカー棒鋼材９を係合する。
しかる後、長ナット体７の頂部にアイボルトを螺着し、該アイボルトの吊輪にワイヤーを取付けることにより、ＡＬＣパネル１を吊り上げる方法が提案されている（例えば、特許文献１参照。）。
【特許文献１】特開平４−８０１９６号公報
【発明の開示】
【発明が解決しようとする課題】
【０００３】
上記吊り上げ方法においては、ＡＬＣパネルをワイヤーで吊り上げる際に長ナット体７の先端部の貫通穴７ａに挿通させたアンカー棒鋼９が抜け落ちることがあるという欠点を有している。
アンカー棒鋼９は長ナット体７先端部の貫通穴７ａに挿通しただけなので、貫通穴７ａに挿通されたアンカー棒鋼９の長さが短い場合には、ワイヤーの張力が緩んだ場合などにはアンカー棒鋼９が抜け落ちることがある。
そこで本発明の目的は、パネルの吊り上げの際に吊り上げアンカーの脱着が容易で、さらに安全でかつ作業性の良いＡＬＣパネル用の吊り上げアンカー、およびそれを用いたＡＬＣパネルの吊り上げ方法を提供することにある。
【課題を解決するための手段】
【０００４】
上記課題を解決するため本発明の吊り上げアンカーは、軽量気泡コンクリートパネルを吊り上げるための吊り上げアンカーであって、一方の先端がコの字状に折り曲げられてなるアンカー棒鋼と、先端に貫通穴を有する長ナット体からなり、該長ナット体の先端の貫通穴に前記アンカー棒鋼を貫通させてなる吊り上げアンカーとした。
本発明の吊り上げアンカーにあっては、前記貫通穴を貫通した部分のアンカー棒鋼の長さを、アンカー棒鋼全長の４分の１以上とするのが好ましい。
吊り上げアンカーを上記のように構成することにより、軽量気泡コンクリートパネルを吊り上げた際にアンカー棒鋼が抜け落ちるのを防ぐことができる。
【０００５】
また、本発明の軽量気泡コンクリートパネルの吊り上げ方法は、軽量気泡コンクリートパネルの短辺小口には長ナット体挿入用の縦孔を設け、軽量気泡コンクリートパネルの長辺小口には前記縦孔先端と直交貫通する前記アンカー棒鋼貫通用の横孔を設け、前記縦孔に先端に貫通穴を有する長ナット体を挿入し、前記横孔に一方の先端がコの字状に折り曲げられてなるアンカー棒鋼を長ナット体先端の貫通穴に貫通させて挿入し、アンカー棒鋼先端のコの字状の折り曲げ部分を軽量気泡コンクリートパネルの長辺小口に食い込ませて固定した後、前記長ナット体にボルトあるいはアイボルトを螺結しワイヤーを懸けてパネルを吊り上げる軽量気泡コンクリートパネルの吊り上げ方法とした。
本発明の軽量気泡コンクリートパネルの吊り上げ方法においては、前記アンカー棒鋼先端のコの字状の折り曲げ部分を軽量気泡コンクリートパネルの長辺小口に食い込ませて固定するに際し、該長辺小口に溝と窪みを設けて前記アンカー棒鋼先端のコの字状の折り曲げ部分を収納するのが好ましい。
【発明の効果】
【０００６】
本発明の軽量気泡コンクリートパネル用吊り上げアンカーは、形状構造が簡単で、軽量であり容易にかつ短時間でＡＬＣパネルに固定することができる。そのため、ＡＬＣパネル吊り上げの作業性が非常に向上したものとなる。また、前記吊り上げアンカーは、吊り上げ後はＡＬＣパネルから外して他のパネルの吊り上げアンカーとして繰り返して使用することが出来るために経済的である。また、ＡＬＣパネルをボルトで螺結されるので、安全な吊り上げ作業ができるという優れた効果がある。
本発明の軽量気泡コンクリートパネルの吊り上げ方法は、上述の吊り上げアンカーを使用するので上記の効果の他に吊り上げアンカーが脱落することはなく、作業の安全性が確保できるようになる。
【発明を実施するための最良の形態】
【０００７】
本発明の実施の形態を図に基づいて説明する。
図１は、本発明の軽量気泡コンクリートパネル用の吊り上げアンカーの一実施形態を示す外観斜視図である。この吊り上げアンカー１０は、先端に貫通穴２ａを有し上端にネジ穴２ｂを有する長ナット体２と、一方の先端がコの字状に折り曲げられてなるアンカー棒鋼３から構成されている。アンカー棒鋼３の直径は長ナット体７先端の貫通穴２ａの内径よりも細く、アンカー棒鋼３は貫通穴２ａ内に長ナット体２と直交するように貫通させてある。パネルを吊り上げた時にアンカー棒鋼が抜け落ちるのを防ぐために、貫通穴２ａを貫通したアンカー棒鋼３の長さＬ´は、アンカー棒鋼３の全長Ｌの４分の１以上とることが好ましい。アンカー棒鋼３先端のコの字状の折り曲げ部３ａの形状には特に制限はなく、軽量気泡コンクリートパネル加工の板厚の範囲内で、曲げ加工しやすい寸法で折り曲げ加工したものであればよい。折り返し部分もパネル小口にひっかかる程度有れば充分である。
【０００８】
図２は、上記本発明の軽量気泡コンクリートパネル用の吊り上げアンカー１０を使用して、軽量気泡コンクリートパネルを吊り上げる方法を説明する図である。
先ず、軽量気泡コンクリートパネル１の上部に小口１ａに、前記長ナット体２を挿入するための縦孔１５を垂直に穿設し、側面小口１ｂには前記アンカー棒鋼３を挿入するための横孔１６を水平に、前記縦孔１５の先端を貫通させて穿設しておく。
縦孔１５の位置は軽量気泡コンクリートパネル１の上面小口１ａの中心に設ける。また、横孔１６の位置は、側面小口１ｂ上でその中心線が長ナット体２先端の貫通穴２ａの中心を貫く位置とする。
さらに、側面小口１ｂには前記アンカー棒鋼３先端のコの字状の折り曲げ部３ａが嵌る溝１７及び窪み１８を穿設しておく。
以上のように加工した軽量気泡コンクリートパネル１を準備した後、軽量気泡コンクリートパネル１の上部小口１ａから前記縦孔１５に、吊り上げアンカーの長ナット体２を挿入し、軽量気泡コンクリートパネル１の側面小口１ｂの横孔１６に前記アンカー棒鋼３を挿入して、長ナット体２先端の貫通穴２ａにアンカー棒鋼３を貫通させて長ナット体２とアンカー棒鋼３を固定する。
次いで、軽量気泡コンクリートパネル１の側面小口１ｂに設けた溝１７及び窪み１８に、アンカー棒鋼３先端のコの字状の折り曲げ部３ａを嵌合させて、軽量気泡コンクリートパネル１とアンカー棒鋼３とを固定する。
【０００９】
軽量気泡コンクリートパネル１に吊り上げアンカーを固定した後、図３に示すように、吊り上げアンカー１０の長ナット体２前端のネジ穴２ｂにアイボルト１３を螺着し、該アイボルト１３の吊輪にワイヤー１９を取付けることにより、軽量気泡コンクリートパネル１を吊り上げる。
このような吊り上げ方法とすれば、パネルを吊り上げる際に吊り上げアンカーが脱落することはなく、作業の安全性が確保することができる。
【図面の簡単な説明】
【００１０】
【図１】本発明の吊り上げアンカーの一実施形態を示す外観斜視図である。
【図２】軽量気泡コンクリートパネルを吊り上げる方法を説明するを示す図である。
【図３】軽量気泡コンクリートパネルを吊り上げた状態を示す図である。
【図４】従来の吊り上げアンカーの一実施形態を示す外観斜視図である。
【図５】従来の軽量気泡コンクリートパネルを吊り上げる方法を示す図である。
【符号の説明】
【００１１】
１  軽量気泡コンクリート（ＡＬＣ）パネル
２、７  長ナット体
３、９  アンカー棒鋼
１０  吊り上げアンカー
１５  縦孔
１６  横孔
１７  溝
１８  窪み
１９  ワイヤー
【図１】
2006117381.tif 000003
【図２】
2006117381.tif 000004
【図３】
2006117381.tif 000005
【図４】
2006117381.tif 000006
【図５】
2006117381.tif 000007